(57)【要約】【課題】原稿サイズの判定精度を向上させる画像読み取り装置を提供する。【解決手段】イメージセンサの複数の画素の出力信号をサンプリングして原稿台の盤面上の所定領域の光学的濃度を測定し、測定された光学的濃度に基づいて原稿台の盤面に載置された原稿のサイズを判定する（Ｓ３００）画像読み取り装置であって、光学系の倍率を測定する倍率測定手段をさらに備え、原稿サイズ判定手段は、サンプリング対象のイメージセンサの画素を倍率測定手段の測定結果に応じて変更する（Ｓ１００）ことを特徴とする。【選択図】  図１
2005020257.tif 000002
【特許請求の範囲】
【請求項１】
盤面に原稿が載置される透明な原稿台と、
離散的に配列された複数の画素での光電変換により前記原稿を読み取るイメージセンサと、
前記原稿台に載置された原稿の反射光像を前記イメージセンサの受光面に結像させる光学系と、
前記イメージセンサの複数の画素の出力信号をサンプリングして前記原稿台の盤面上の所定領域の光学的濃度を測定し、測定された光学的濃度に基づいて前記原稿台の盤面に載置された原稿のサイズを判定する原稿サイズ判定手段とを備える画像読み取り装置であって、
前記光学系の倍率を測定する倍率測定手段をさらに備え、
前記原稿サイズ判定手段は、サンプリング対象の前記イメージセンサの画素を前記倍率測定手段の測定結果に応じて変更することを特徴とする画像読み取り装置。
【請求項２】
前記原稿サイズ判定手段は、前記原稿台の盤面上で互いに離間して主走査方向に並ぶ複数の第一判定領域と前記原稿台の盤面上で前記第一判定領域から副走査方向に所定距離離間した第二判定領域の光学的濃度を測定し、
前記光学系によって前記複数の第一判定領域から前記イメージセンサの所定の画素に至る光路が形成されているとき、前記第二判定領域から前記イメージセンサの所定の画素に至る光路を形成する第二の光学系をさらに備えることを特徴とする請求項１に記載の画像読み取り装置。
【請求項３】
前記原稿サイズ判定手段は、前記第二判定領域の光学的濃度を測定するためにサンプリングする前記イメージセンサの画素を前記倍率測定手段の測定結果に応じて変更することを特徴とする請求項２に記載の画像読み取り装置。
【発明の詳細な説明】
【０００１】
【発明の属する技術分野】
本発明は、画像読み取り装置に関する。
【０００２】
【従来の技術】
従来、イメージスキャナ等の画像読み取り装置において、原稿読み取りに用いるイメージセンサを用いて原稿サイズを自動判定する技術が知られている。特許文献１に記載された技術によると、予め決められたリニアイメージセンサの画素の出力信号をサンプリングすることによって原稿台上の複数の判定領域について光学的濃度を測定し、その結果に基づいて原稿サイズを判定する。
【０００３】
【特許文献１】
特開平９−１９１３７０号公報
【０００４】
【発明が解決しようとする課題】
しかし、原稿台上の複数の判定領域からリニアイメージセンサに至る光路は光学系の製造公差によってばらつくため、予め決められたリニアイメージセンサの画素の出力信号をサンプリングすると、その出力信号に基づいて測定している原稿台上の領域が装置毎にばらつくこととなる。したがって、従来の画像読み取り装置では、光学系の製造公差によって原稿サイズを誤判定するおそれがあった。本発明は、このような問題を解決するために創作されたものであって、原稿サイズの判定精度を向上させる画像読み取り装置を提供することを目的とする。
【０００５】
【課題を解決するための手段】
上記目的を達成するため、本発明に係る画像読み取り装置は、盤面に原稿が載置される透明な原稿台と、離散的に配列された複数の画素での光電変換により前記原稿を読み取るイメージセンサと、前記原稿台に載置された原稿の反射光像を前記イメージセンサの受光面に結像させる光学系と、前記イメージセンサの複数の画素の出力信号をサンプリングして前記原稿台の盤面上の所定領域の光学的濃度を測定し、測定された光学的濃度に基づいて前記原稿台の盤面に載置された原稿のサイズを判定する原稿サイズ判定手段とを備える画像読み取り装置であって、前記光学系の倍率を測定する倍率測定手段をさらに備え、前記原稿サイズ判定手段は、サンプリング対象の前記イメージセンサの画素を前記倍率測定手段の測定結果に応じて変更することを特徴とする。原稿サイズを判定するために出力信号をサンプリングする対象となるイメージセンサの画素を光学系の倍率に応じて変更することにより、原稿サイズの判定精度を向上させることができる。
【０００６】
さらに本発明に係る画像読み取り装置は、前記原稿サイズ判定手段は、前記原稿台の盤面上で互いに離間して主走査方向に並ぶ複数の第一判定領域と前記原稿台の盤面上で前記第一判定領域から副走査方向に所定距離離間した第二判定領域の光学的濃度を測定し、前記光学系によって前記複数の第一判定領域から前記イメージセンサの所定の画素に至る光路が形成されているとき、前記第二判定領域から前記イメージセンサの所定の画素に至る光路を形成する第二の光学系をさらに備えることを特徴とする。原稿台の盤面上で互いに離間して主走査方向に並ぶ複数の第一判定領域のみならず、原稿台の盤面上で第一判定領域から副走査方向に所定距離離間した第二判定領域の光学的濃度を測定することにより、原稿台上に載置される原稿の向きが一定でない場合であっても、多様な原稿サイズを相互に区別できる。また、複数の第一判定領域からイメージセンサの所定の画素に至る光路が形成されているとき、第二判定領域からイメージセンサの所定の画素に至る光路を形成する第二の光学系をさらに備えることにより、イメージセンサの主走査線を副走査方向に平行移動させることなしに、原稿の副走査方向の長さを短時間で判定することができる。
【０００７】
さらに本発明に係る画像読み取り装置は、前記原稿サイズ判定手段は、前記第二判定領域の光学的濃度を測定するためにサンプリングする前記イメージセンサの画素を前記倍率測定手段の測定結果に応じて変更することを特徴とする。第二判定領域の光学的濃度を測定するためにサンプリングするイメージセンサの画素を倍率測定手段の測定結果に応じて変更することにより、原稿の副走査方向の長さの判定精度を向上させることができる。
【０００８】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【０００９】
【発明の実施の形態】
以下、本発明の実施の形態を実施例に基づいて説明する。
図２は、本発明の一実施例に係る画像読み取り装置としてのイメージスキャナ１４の上面図である。図３、図４及び図５は、イメージスキャナ１４の模式的な断面図である。イメージスキャナ１４は、ハウジング２０の上面にガラス板などで形成された概ね矩形の透明な原稿台３０を備えた所謂フラットベッド型である。原稿台３０にはその盤面上に写真、文書等の原稿が載置される。原稿は、原稿台３０の縁に設けられたＬ字形状の原稿ガイド２４の端面２２、３２に当接することによって、原点に対応する原稿台３０の盤面上の角部に原稿の角部が位置するように位置決めされる。図１１に示すように、原稿ガイド２４の裏面には白基準板８４が設けられている。白基準板８４には第一光学系４６（図４参照）及び第二光学系５８（図５参照）の光学倍率を測定するための２つの光学倍率測定マーク８０、８２が形成されている。設計上、２つの光学倍率測定マーク８０、８２が第一光学系４６によって結像されるイメージセンサ５４の画素（ｐ４、ｐ６で図１１に例示する。）は、後述する基準情報として製造時に予め記憶されている。
【００１０】
原稿カバー１６は、原稿台３０の盤面を開放した姿勢（全開姿勢）から原稿台３０の盤面を覆う姿勢（全閉姿勢）に揺動可能にヒンジ１７によってハウジング２０に連結されている。尚、図２は原稿カバー１６の全開姿勢を示している。原稿カバー１６は原稿台３０に載置される原稿を押さえるとともに、メインランプ３４及びＬＥＤ３６の放射光以外の光が原稿を照らすことがないよう原稿台３０を覆うものである。また、ハウジング２０の上面の原稿カバー１６の揺動軸線近傍から、原稿カバー１６の姿勢を検出するための姿勢センサ４１の可動部材１２が突出している。
【００１１】
以下の説明では、図３に示す姿勢Ｉ  を全開姿勢といい、姿勢ＩＩＩ  を全閉姿勢といい。姿勢ＩＩを中間姿勢というものとする。姿勢センサ４１は、原稿カバー１６の姿勢変化を検出するセンサである。姿勢センサ４１の可動部材１２はハウジング２０の上面から突出する方向にばね３８によって付勢されている。原稿カバー１６が中間姿勢になると可動部材１２は原稿カバー１６に当接し、中間姿勢からさらに全閉姿勢に近づくと、可動部材１２はハウジング２０の内側へ押し込まれるため、原稿カバー１６の姿勢変化が検出される。
【００１２】
図４に示すようにキャリッジ２８は、原稿台３０の盤面と平行に往復移動自在にハウジング２０に収容されている。キャリッジ２８はリニアイメージセンサ５４、及び第一光学系４６、並びに第二光学系５８の一部を搭載し、原稿台３０の盤面に対し平行なガイド用のシャフト等にスライド自在に係止されている。ガイド用のシャフトの長手方向軸は図４のＸ方向（副走査方向）に延伸しており、キャリッジ２８は例えばベルトにより牽引されてリニアイメージセンサ５４等を副走査方向に運搬する。
【００１３】
リニアイメージセンサ５４は、原稿台３０に載置された原稿Ｍの反射光を光電変換することにより原稿Ｍを読み取る。具体的には、リニアイメージセンサ５４は図４において紙面垂直方向に直線状に並ぶフォトダイオード等の複数の画素を有し、可視光、赤外光、紫外光などの所定の波長領域の光を光電変換して得られる電荷を一定時間蓄積し、各画素について受光量に応じて蓄積された電荷をＣＣＤ（Ｃｈａｒｇｅ  Ｃｏｕｐｌｅｄ  Ｄｅｖｉｃｅ）、ＭＯＳトランジスタスイッチ等を用いてフローティングキャパシタに転送する。フローティングキャパシタに転送された電荷は電圧信号として出力される。
【００１４】
第一光学系４６は、光源としてのメインランプ３４、ミラー５０、４４、４２、４８及びレンズ５２を備える。メインランプ３４はキセノンランプ等の管照明装置から構成されており、その長手方向軸線がリニアイメージセンサ５４の長手方向軸線と平行に延びる姿勢でキャリッジ２８に搭載されている。メインランプ３４はハウジング２０の内側から原稿台３０の裏面側を照射する。ミラー５０、４４、４２、４８及びレンズ５２は、図４に破線で示すように原稿台３０の盤面上の領域であってリニアイメージセンサ５４の長手方向軸線と平行な主走査線上の領域からリニアイメージセンサ５４に至る光路Ｔを形成する。
【００１５】
図５に示すように第二光学系５８は、ＬＥＤ（Ｌｉｇｈｔ  Ｅｍｉｔｔｉｎｇ  Ｄｉｏｄｅ）３６、ミラー５１、５６、４９、４８及びレンズ５２を備える。尚、ミラー４８及びレンズ５２は第一光学系４６としても第二光学系５８としても用いられるものである。ＬＥＤ３６は原稿台３０の盤面上の判定領域であって原稿ガイド２４の主走査方向に延びる端面２２から副走査方向Ｘに所定距離離間した判定領域Ｈを照射する位置に配置される。判定領域Ｈは原稿の副走査方向の長さを判定するために設定される領域であり、その具体的な位置については後述する。ミラー５１、５６、４９、４８及びレンズ５２は、図５に破線で示すように判定領域Ｈからリニアイメージセンサ５４に至る光路Ｒを形成する。ＬＥＤ３６、ミラー５６、５１はキャリッジ２８の移動に支障のない位置に配置されている。第一光学系４６及び第二光学系５８によって副走査方向に互いに離間した少なくと２つの領域からイメージセンサ５４に至る光路を同時に形成することができるため、キャリッジ２８を静止させた状態で原稿の副走査方向の長さを判定することが可能になる。これにより、原稿台３０上に載置される原稿の向きが一定でない場合であっても、短時間に多様な原稿サイズを相互に区別することが可能になる。
【００１６】
図６は、イメージスキャナ１４を示すブロック図である。
主走査駆動部７２は、リニアイメージセンサ５４を駆動するために必要な駆動パルスをリニアイメージセンサ５４に出力する駆動回路である。主走査駆動部７２は、例えば同期信号発生器、駆動用タイミングジェネレータ等から構成される。
【００１７】
副走査駆動部７４は、キャリッジ２８に係止されたベルト、このベルトを回転させるモータ及び歯車列、駆動回路等で構成される。副走査駆動部７４がキャリッジ２８をベルトで牽引することで図４の紙面垂直方向に延びる主走査線がそれに垂直な副走査方向に移動するため、２次元画像の走査が可能となる。
【００１８】
ＡＦＥ部６０は、アナログ信号処理部、Ａ／Ｄ変換器等から構成される。アナログ信号処理部は、リニアイメージセンサ５４又はフォトダイオード３３から出力された電気信号に増幅、雑音低減処理等を施して出力する。Ａ／Ｄ変換器は、アナログ信号処理部から出力された出力信号を量子化して所定ビット長のディジタル表現の出力信号を出力する。以下の説明では、出力信号は８ビット長、すなわち２５６階調で表されるものとする。
ディジタル画像処理部６２は、ＡＦＥ部６０から出力された出力信号に対し、シェーディング補正、ガンマ補正、画素補間法による欠陥画素の補間、画像信号の鮮鋭化等の処理を行って画像データを作成する。
【００１９】
制御部７０は、ＣＰＵ６６、ＲＯＭ６４及びＲＡＭ６８を備える。ＣＰＵ６６はＲＯＭ６４に記憶されたコンピュータプログラムを実行してイメージスキャナ１４の各部を制御する。また、ＣＰＵ６６はＲＯＭ６４に記憶されたコンピュータプログラムを実行することで、倍率測定手段及び原稿サイズ判定手段としても機能する。ＲＯＭ６４はＣＰＵ６６が実行するコンピュータプログラム、原稿サイズの判定に用いる判定テーブル（図１７参照）、光学系の倍率を測定するための基準情報、その他各種のプログラムやデータなどを記憶しているメモリである。これらのプログラムや各種のデータは、所定のサーバからネットワークを介してダウンロードして入力してもよいし、図示しないリムーバブルメモリ等のコンピュータ読み取り可能な記憶媒体から読み出して入力してもよい。ＲＡＭ６８はプログラムやデータを一時的に記憶するメモリである。
【００２０】
図７（Ａ）は姿勢センサ４１を示す模式図、図７（Ｂ）は姿勢センサ４１の出力信号の波形図である。姿勢センサ４１は、原稿カバー１６の姿勢を検出するセンサである。姿勢センサ４１は、可動部材１２、可動部材１２を付勢してハウジング２０から突出させるばね３８、姿勢検出用ＬＥＤ７６、姿勢検出用ＬＥＤ７６から放射された光を検出するフォトダイオード４０とを備える。尚、姿勢検出用ＬＥＤ７６から放射された光をリニアイメージセンサ５４に到達させる光路を設け、リニアイメージセンサ５４で姿勢検出用ＬＥＤ７６から放射された光を検出してもよい。姿勢センサ４１の出力信号は原稿カバー１６が揺動するとき中間姿勢になる前後で変化する。従って、姿勢センサ４１の出力信号を所定時間間隔で判定すると、原稿カバー１６が中間姿勢になったタイミングを検出できる。
【００２１】
次にイメージスキャナ１４の作動について説明する。
図１はイメージスキャナ１４で原稿を読み取るまでの全体の処理を示すフローチャートである。はじめに、光学倍率測定マーク８０、８２の位置を測定して光学倍率を測定し、測定した光学倍率に応じて、原稿サイズを判定するために出力信号をサンプリングする対象となる画素を設定する（Ｓ１００）。次に、原稿カバー１６を閉じる動作に伴うサンプリング対象画素の出力信号の変化を検出する（Ｓ２００）。次に、サンプリング対象画素の出力信号の変化に基づいて原稿サイズを判定する（Ｓ３００）。次に、判定した原稿サイズに対応した領域を読み取る（Ｓ４００）。以下、これらの処理について詳細に説明する。
【００２２】
図８は光学系の光学倍率に応じてサンプリングするイメージセンサの画素を設定する処理を示すフローチャートである。
はじめに、白基準板８４上で光学倍率測定マーク８０、８２が形成されていない領域を読み取ってシェーディング補正のための白基準を設定する（Ｓ１１０）。次に、光学倍率測定マーク８０、８２を読み取って取得したリニアイメージセンサ５４の出力信号に基づいて光学倍率測定マーク８０、８２の位置を測定する（Ｓ１２０）。次に、測定した光学倍率測定マークの位置と、予めＲＯＭ６４に記憶された基準情報が表す光学倍率測定マーク８０、８２の位置とを比較し、比較結果に基づいてサンプリング対象画素を設定する（Ｓ１３０）。ここで、サンプリング対象画素を設定する処理について詳細に説明する。
【００２３】
図９は、原稿台３０の平面図である。図中の枠Ａ５Ｈ〜ＷＬＴはそれぞれ図１０に示す原稿サイズを表している。原稿サイズを判定する場合、リニアイメージセンサ５４の全ての画素について光量変化を検出する必要はなく、原稿台３０上の特定の判定領域における反射光が入射する画素についてのみ光量変化を検出すればよい。原稿サイズを判定するために出力信号をサンプリングすべきリニアイメージセンサ５４の画素は、第一光学系４６及び第二光学系５８を介して判定領域Ａ〜Ｈから光が入射する画素である。誤判定を防止するため、各判定領域にはそれぞれ連続する複数の画素を対応させることが望ましい。
【００２４】
第一判定領域としての判定領域Ａ〜Ｇは、原稿の主走査方向の長さを判定するための領域である。判定領域Ａ〜Ｇの副走査方向の位置は、判定対象の規格用紙サイズの最短の副走査方向の長さより短い距離（図１０の例では１４８ｍｍ以内）の範囲で原稿ガイドの端面２２から副走査方向に若干離れた位置で主走査方向に一直線上に並ぶように設定されている。判定領域Ａ〜Ｇの主走査方向の位置は、具体的には例えば原稿ガイド２４の端面３２から判定領域Ａ〜Ｇまでの距離を以下に示す範囲に設定すると、図１０に示す原稿サイズを判定することができる。
【００２５】
０ｍｍ＜Ａ＜１４８ｍｍ
１４８ｍｍ＜Ｂ＜１８２ｍｍ
１８４．１５ｍｍ＜Ｃ＜２１０ｍｍ
２１０ｍｍ＜Ｄ＜２１５．９ｍｍ
２１５．９ｍｍ＜Ｅ＜２５７ｍｍ
２６６．７ｍｍ＜Ｆ＜２７９．４ｍｍ
２７９．４ｍｍ＜Ｇ＜２９７ｍｍ
【００２６】
第二判定領域としての判定領域Ｈは、原稿の副走査方向の長さを判定するための領域である。判定領域Ｈは、具体的には例えば、原稿台３０においてＡ４縦サイズ（Ａ４Ｖ）の原稿に覆われる領域であって且つレター縦サイズ（ＬＴＶ）の原稿には覆われない領域の任意の位置に設定される。すなわち原点Ｑから副走査方向に２７９．４ｍｍ以上２９７ｍｍ以内であり、且つ主走査方向に原点Ｑから０ｍｍ以上２１０ｍｍ以内の領域の任意の位置に設定される。原点Ｑは、Ｌ字状の原稿ガイド２４の端面２２、３２が形成する角部の直下の盤面上に設定される。尚、主走査方向の長さのみで全ての原稿サイズを判定できるために副走査方向の長さを判定する必要がない場合、判定領域Ｈに対応する画素について光量変化を検出することは不要である。その場合は前述した第二光学系５８についても不要となる。
【００２７】
図１１及び図１２は、光学系の倍率に応じてサンプリングする画素を変更する処理を説明するための斜視図である。光学倍率測定マーク８０、８２を読み取って光学倍率測定マーク８０、８２の位置を測定するとき、光学倍率測定マーク８０、８２の位置は、イメージセンサ５４の画素の番号と対応付けて特定される。予めＲＯＭ６４に記憶された基準情報は、設計上、光学倍率測定マーク８０、８２に対応する画素（ｐ４、ｐ６）の番号と、設計上、判定領域Ａ〜Ｈとに対応する画素（ｐ１、ｐ２、ｐ５で図中に例示する。）の番号を示している。光学倍率測定マーク８０、８２を読み取って特定した画素（ｐ３、ｐ７で図中に例示する。）の番号と、基準情報が示す光学倍率測定マーク８０、８２に対応する画素（ｐ４、ｐ６）の番号とを比較することによって、光学系の倍率誤差を特定することができる。光学系の倍率誤差が特定されると、基準情報が示す判定領域Ａ〜Ｈに対応する画素（ｐ１、ｐ２、ｐ５）の番号を光学系の倍率誤差に応じて変更した番号を、サンプリング対象の画素（ｐ８、ｐ９、ｐ１０で例示する）の番号として設定する。以上、サンプリング対象画素を設定する処理について説明した。
【００２８】
次に原稿サイズを判定する処理について説明する。はじめに、原稿サイズを検出する原理を説明する。尚、原稿サイズの判定方法は、以下に述べる方法に限定されるものではなく、原稿読み取り用のイメージセンサを用いて原稿サイズを判定する方法であればどのような方法であってもよい。
【００２９】
図１３は、原稿台３０に原稿を載置していない状態で原稿カバー１６が全閉姿勢のタイミングと原稿カバー１６が中間姿勢になるタイミングとでそれぞれ１ライン分の画素の出力信号をプロットしたグラフである。原稿カバー１６が全閉姿勢の場合、メインランプ３４の放射光は原稿カバー１６によって反射され原稿台３０からハウジング２０の内部に入射する。一方、原稿カバー１６が中間姿勢の場合、原稿台３０からリニアイメージセンサ５４に入射するメインランプ３４の反射光の光量は、光が拡散するため、全画素について全閉姿勢の場合に比べて減少する。また中間姿勢では、原稿カバー１６上の位置であって揺動軸線に近い位置で反射された光の多くはリニアイメージセンサ５４に入射し、揺動軸線から遠い位置で反射された光の多くはリニアイメージセンサ５４に入射しない。このため原稿カバー１６の揺動軸線から遠い画素ほど、受光量の減少幅が大きくなる。また、メインランプ３４は長手方向の中央近傍ほど輝度が高く、両端部ほど輝度が低くなるため、原稿カバー１６が中間姿勢になるタイミングでは、中央よりやや揺動軸線に近い画素で最も受光量が大きくなる。
【００３０】
一方、盤面上の判定領域が原稿に覆われている場合、原稿で覆われた判定領域から光が入射するリニアイメージセンサ５４の各画素は原稿カバー１６が全閉姿勢であるか中間姿勢であるかによらず、常にメインランプ３４によって照射された原稿Ｍの反射光を受光する。原稿Ｍの反射光を受光する画素では、原稿カバー１６が全閉姿勢であっても中間姿勢であってもメインランプ３４によって照射された原稿Ｍの反射光がほとんど変化しないため、受光量はほぼ一定である。
このため原稿カバー１６が全閉姿勢になるタイミングまたはその直前のタイミングでの出力信号と中間姿勢のタイミングでの出力信号との差は、原稿に覆われている判定領域に対応する画素では小さくなり、原稿に覆われていない判定領域に対応する画素では大きくなる。
【００３１】
従って、原稿カバー１６が全閉姿勢のタイミング又はその直前のタイミングの出力信号と中間姿勢になるタイミングの出力信号との変化幅に所定のしきい値Ｙを設定し、ある画素に対応する出力信号の変化幅がしきい値Ｙより小さければ、当該画素に対応する判定領域が原稿に覆われていると判定できることになる。すなわち、原稿カバー１６が全開姿勢から全閉姿勢に揺動するとき、ある画素について受光量の変化幅の大小を判別すると、その画素に対応する原稿台３０の盤面上の判定領域が原稿に覆われているか否かを判別できる。この判別方法では、その画素に対応する原稿台３０の盤面上の判定領域が原稿に覆われているか否かは、その画素以外の画素の受光量の変化幅を考慮することなく判別できる。
【００３２】
図１４は光量変化を検出する処理の流れを示すフローチャートであり、図１５は光量変化を検出するタイミングを説明するためのタイムチャートである。以下、図１４及び図１５に基づいてサンプリング対象画素の出力信号の変化を検出する処理について説明する。
Ｓ２０５では、所定時間間隔で姿勢センサ４１の出力信号を監視して原稿カバー１６が中間姿勢になるタイミングを検知する。
【００３３】
Ｓ２１０では、メインランプ３４を点灯させる。
Ｓ２１５では、メインランプ３４を点灯してから時間ｔ１が経過するまで待機する。時間ｔ１は、メインランプ３４がキセノンランプの場合、例えば１０ミリ秒程度である。
Ｓ２２０では、ＬＥＤ３６を点灯する。ここでＬＥＤ３６を点灯するタイミングより早いタイミングでメインランプ３４を点灯するのは、メインランプ３４は最大輝度の光を安定して放射するようになるまでＬＥＤ３６より長い時間を要するからである。
【００３４】
Ｓ２２５では、キャリッジ２８を静止させた状態でリニアイメージセンサ５４でｔ２の期間だけ電荷を蓄積し、蓄積した電荷を検出し、サンプリング対象画素として設定された画素の出力信号をサンプリングする。このとき、第二光学系５８を介してリニアイメージセンサ５４の端部近傍の画素に判定領域Ｈの光が入射するため、キャリッジ２８を静止させた状態であっても判定領域Ａ〜Ｇとともに判定領域Ｈの光学的濃度も測定される。
【００３５】
Ｓ２３０では、劣化を防止するためＬＥＤ３６を一端消灯する。
Ｓ２３５では、読み取り回数を判定し、読み取りが１度目であるときはＳ２４０に進む。読み取りが２度目であるときはＳ２５０に進む。
Ｓ２４０では、Ｓ２２５で一度目にサンプリングした画素の出力信号をＲＡＭ６８に記憶する。具体的には例えば画素毎の平均値、例えば一つの判定領域に対応する２０画素の出力信号の平均値をＲＡＭ６８に記憶する。
Ｓ２４５では、ＬＥＤ３６を消灯してから時間ｔ３が経過するまで待機する。ここで時間ｔ３はユーザが原稿カバー１６を中間姿勢から全閉姿勢に回動させるまでに要する時間として推定される時間であり、具体的には例えば１０００ミリ秒程度である。
【００３６】
Ｓ２５０では、メインランプ３４を消灯する。人間の目には同じ輝度の光であっても一瞬だけ光る場合の方が長く光る場合に比べて眩しく感じられ、一般にその時間が２００ミリ秒程度以上であれば眩しく感じる程度が小さくなる。このためメインランプ３４の点灯時間ｔ４は少なくとも２００ミリ秒以上であることが望ましい。尚、メインランプ３４もＬＥＤ３６と同様に１度目の読み取りの後に一端消灯するようにしてもよい
【００３７】
Ｓ２５５では、２度目にサンプリングする画素の出力信号をＲＡＭ６８に記憶する。具体的には例えば判定領域Ａ〜Ｈ毎の平均値、例えば一つの判定領域に対応する２０画素の出力信号の平均値をＲＡＭ６８に記憶する。
Ｓ２６０では、サンプリングした画素について、一度目の出力信号と二度目の出力信号との変化幅を求める。
図１６は、一度目の出力信号と二度目の出力信号との変化幅の検出結果に基づいて、原稿台３０の盤面に載置された原稿のサイズを判定する処理の流れを示すフローチャートである。
【００３８】
Ｓ３０５では、原稿サイズの副走査方向の長さを判定するため、判定領域Ｈに対応する画素の出力信号の変化幅が所定値以上（例えば１５以上）であるか否かを判定する。変化幅が所定値以上であれば判定領域Ｈは原稿カバー１６に覆われていると判定してＳ３１０に進み、所定値未満であれば判定領域Ｈは原稿に覆われている判定としてＳ３１５に進む。
【００３９】
Ｓ３１０では、判定領域Ｈが原稿カバー１６に覆われているか原稿に覆われているかを記憶するためのフラグに”原稿カバー”を示す値をセットする。
Ｓ３１５では、上述のフラグに”原稿”を示す値をセットする。
Ｓ３２０では、判定領域に割り振られている番号を示す変数Ｐに１をセットする。ここで判定領域Ａ〜ＧにはＡからＧの順に１から７までの番号が割り振られているものとする。
【００４０】
Ｓ３２５では、変数Ｐにセットされている番号が割り振られている判定領域に対応する画素について出力信号の変化幅が所定値以上（例えば１００以上）であるか否かを判定する。所定値未満であれば変数Ｐにセットされている番号が割り振られている判定領域は原稿に覆われていると判定しＳ３３０に進む。所定値以上であれば原稿カバー１６に覆われていると判定しＳ３４０に進む。
Ｓ３３０では、変数Ｐに１を加算する。
Ｓ３３５では、変数Ｐの値が８であるか否かを判定し、８でなければＳ３２５に戻って変数Ｐの値が８になるまで処理を繰り返す。８であればＳ３４０に進む。
【００４１】
Ｓ３４０では、原稿サイズを判定する。具体的には、図１７に示す判定テーブルを用いて次のように行う。図１７中の”○”は当該領域が原稿に覆われていることを示し、”×”は当該領域が原稿カバーに覆われていることを意味している。例えばＡ４縦サイズの原稿を載置したとすれば、判定領域Ａ〜Ｃ、Ｈは原稿に覆われ、判定領域Ｄ〜Ｇまでは原稿カバーに覆われる。従って、フラグが”原稿”であって、変数Ｐに判定領域Ｄに対応する４がセットされた状態であれば原稿サイズをＡ４縦サイズであると判定できることになる。同様にして他の全ての原稿サイズも一意に特定することができる。
【００４２】
尚、上記の説明では判定領域Ａから順に変化幅が所定値以上になるまで判定を行っているが、判定領域Ｇから逆順に変化幅が所定値未満になるまで判定を行うようにしてもよい。
また、上記の説明では図１４のＳ２６０で全ての判定領域について変化幅を求めているが、判定領域Ａ〜Ｇについて変化幅を順に求める度にその変化幅が所定値以上であるか否かを判定するようにし、所定値以上になった時点で変化幅を求める処理を終了するようにしてもよい。これによりその判定領域以降の判定領域については変化幅を求める処理が不要になり、原稿サイズの判定を更に短時間に行うことができる。
【００４３】
以上説明した本発明の一実施例に係るイメージスキャナ１４によると、原稿サイズを判定するために出力信号をサンプリングする対象となるイメージセンサ５４の画素を第一光学系４６及び第二光学系５８の倍率に応じて変更することにより、原稿サイズの判定精度を向上させることができる。具体的には、判定領域Ａ〜Ｇに対応付ける画素の番号を第一光学系４６の倍率に応じて変更することにより、原稿サイズの判定精度を主走査方向について向上させることができる。また判定領域Ｈに対応付ける画素の番号を第二光学系５８の倍率に応じて変更することにより、原稿サイズの判定精度を副走査方向について向上させることができる。
【００４４】
また、イメージスキャナ１４によると、原稿台３０の盤面上の判定領域が原稿Ｍに覆われているか否かは、その判定領域に対応する画素以外の画素の受光量の変化幅を考慮することなく判別できる。すなわち、イメージスキャナ１４によると、図１６のフローチャートで説明したように判定領域の変化幅の判定については、判定領域Ａから順に判定し、原稿カバー１６に覆われている判定領域が見つかればそれ以降の判定領域については判定を行う必要がない。したがって、必ずしも複数の判定領域の全てについて検査を実施しなくても正しい原稿サイズを判定することができる。このため、原稿サイズの判定を短時間に確実に行うことができる。
【００４５】
また、リニアイメージセンサ５４をキャリッジ２８で副走査方向に運搬して判定領域Ｈの反射光を受光するようにしてもよく、その場合、第二光学系５８は不要となる。この他、判定領域Ｈの直下に別途イメージセンサを設け、判定領域Ｈの変化幅については別途設けたイメージセンサの出力に基づいて判定するようにしてもよい。
【図面の簡単な説明】
【図１】本発明の実施例に係るフローチャートである。
【図２】本発明の実施例に係る画像読み取り装置の上面図である。
【図３】本発明の実施例に係る模式図である。
【図４】本発明の実施例に係る模式図である。
【図５】本発明の実施例に係る模式図である。
【図６】本発明の実施例に係るブロック図である。
【図７】本発明の実施例に係る模式図である。
【図８】本発明の実施例に係るフローチャートである。
【図９】本発明の実施例に係る平面図である。
【図１０】本発明の実施例に係る模式図である。
【図１１】本発明の実施例に係る模式図である。
【図１２】本発明の実施例に係る模式図である。
【図１３】本発明の実施例に係るグラフである。
【図１４】本発明の実施例に係るフローチャートである
【図１５】本発明の実施例に係るタイムチャートである。
【図１６】本発明の実施例に係るフローチャートである。
【図１７】本発明の実施例に係る模式図である。
【符号の説明】
１  イメージスキャナ（画像読み取り装置）、１２  原稿台、１３  原稿カバー、１５  リニアイメージセンサ（イメージセンサ）、２１  第一光学系、２２  メインランプ（光源）、３１  第二光学系、４４  副走査駆動部（副走査手段）、５０  制御部（検出手段、原稿サイズ判定手段）
【図１】
2005020257.tif 000003
【図２】
2005020257.tif 000004
【図３】
2005020257.tif 000005
【図４】
2005020257.tif 000006
【図５】
2005020257.tif 000007
【図６】
2005020257.tif 000008
【図７】
2005020257.tif 000009
【図８】
2005020257.tif 000010
【図９】
2005020257.tif 000011
【図１０】
2005020257.tif 000012
【図１１】
2005020257.tif 000013
【図１２】
2005020257.tif 000014
【図１３】
2005020257.tif 000015
【図１４】
2005020257.tif 000016
【図１５】
2005020257.tif 000017
【図１６】
2005020257.tif 000018
【図１７】
2005020257.tif 000019